(57)【要約】【課題】ケーブル・アソシエーション・モデルを実行する通信装置において消費電力の低減を図る技術を提供する。【解決手段】通信装置が待機状態にある場合に、無線ＵＳＢホスト１０９及び有線ＵＳＢホスト１１１に対して、電源部１０４から電力を供給させる。ＵＳＢ接続部１０５に接続されたＵＳＢデバイスに対して、ユーザが選択するデバイスの種別が無線ＵＳＢデバイス１３０であれば、無線ＵＳＢホスト１０９による認証がなされた後に、有線ＵＳＢホスト１１１に対する電力供給を停止させる。選択されたデバイスの種別が有線ＵＳＢデバイス１４０であれば、有線ＵＳＢホスト１１１による認証がなされた後に、無線ＵＳＢホスト１０９に対する電力供給を停止させる。【選択図】図２
2008123246.tif 000002
【特許請求の範囲】
【請求項１】
無線ＵＳＢデバイスと通信可能な通信装置であって、
ＵＳＢデバイスが接続されるＵＳＢ接続部と、
無線ＵＳＢデバイスを認証してホストとデバイスとの関係を構築する無線ＵＳＢホストと、
有線ＵＳＢデバイスを認証してホストとデバイスとの関係を構築する有線ＵＳＢホストと、
前記無線ＵＳＢホスト及び前記有線ＵＳＢホストにそれぞれ独立して電力を供給する電源部と、
前記電源部から前記無線ＵＳＢホスト及び前記有線ＵＳＢホストへの電力供給を許可する電力供給許可部と、
前記ＵＳＢデバイスの認証が終了したことを判断する判断部と
を備え、
前記判断部は、前記ＵＳＢデバイスの認証が終了したことに基づいて前記電力供給許可部を制御する、通信装置。
【請求項２】
請求項１記載の通信装置であって、
前記判断部は、前記ＵＳＢデバイスの認証が前記無線ＵＳＢホストによってなされた場合には、前記電源部から前記有線ＵＳＢホストへの電力供給を停止させるように前記電力供給許可部を制御する、通信装置。
【請求項３】
請求項１又は請求項２記載の通信装置であって、
前記判断部は、前記ＵＳＢデバイスの認証が前記有線ＵＳＢホストによってなされた場合には、前記電源部から前記無線ＵＳＢホストへの電力供給を停止させるように前記電力供給許可部を制御する、通信装置。
【請求項４】
請求項１ないし請求項３の何れか記載の通信装置であって、
前記判断部は、前記無線ＵＳＢホストと前記ＵＳＢデバイスとの関係が解消された場合には、前記電源部から前記無線ＵＳＢホストへの電力供給を停止させるように前記電力供給許可部を制御する、通信装置。
【請求項５】
請求項１ないし請求項４の何れか記載の通信装置であって、
前記判断部は、前記有線ＵＳＢホストと前記ＵＳＢデバイスとの関係が解消された場合には、前記電源部から前記有線ＵＳＢホストへの電力供給を停止させるように前記電力供給許可部を制御する、通信装置。
【請求項６】
請求項１ないし請求項５の何れか記載の通信装置であって、
前記電力供給許可部は、前記ＵＳＢ接続部にＵＳＢデバイスが接続された場合に、前記無線ＵＳＢホスト及び前記有線ＵＳＢホストへの電力供給を許可する、通信装置。
【発明の詳細な説明】
【技術分野】
【０００１】
本発明は、無線ＵＳＢデバイスを使用可能な通信装置に関する。
【背景技術】
【０００２】
従来より、無線ＵＳＢ（Universal Serial Bus）デバイスと無線通信によるデータの送受信が可能な通信装置が実用化されている。このような通信装置の例としては、特許文献１等がある。
【０００３】
【特許文献１】特開２００５−２１７６５７号公報
【発明の開示】
【発明が解決しようとする課題】
【０００４】
このような通信装置（ＵＳＢホスト）に無線ＵＳＢデバイスを接続する際にはまず、ＵＳＢホストがデバイスを認証して接続を確立するアソシエーションというプロセスを実行する必要がある。そしてアソシエーションのモデルとしては、数値整合を行うニューメリック・アソシエーション・モデルと、従来のようにケーブルを介して行うケーブル・アソシエーション・モデルとがある。
【０００５】
ケーブル・アソシエーション・モデルを採用するＵＳＢホストでは、有線ＵＳＢ用の回路であるＵＳＢコントローラ（アソシエーションに使用される）と、無線ＵＳＢ用の回路（通常の無線通信に使用される）との両方を搭載する必要があり、機器の消費電力が増大するという問題がある。
【０００６】
そこで、本発明の課題は、ケーブル・アソシエーション・モデルを実行する通信装置において消費電力の低減を図る技術を提供することにある。
【課題を解決するための手段】
【０００７】
上記課題を解決すべく、第１の発明は、無線ＵＳＢデバイスと通信可能な通信装置であって、ＵＳＢデバイスが接続されるＵＳＢ接続部と、無線ＵＳＢデバイスを認証してホストとデバイスとの関係を構築する無線ＵＳＢホストと、有線ＵＳＢデバイスを認証してホストとデバイスとの関係を構築する有線ＵＳＢホストと、前記無線ＵＳＢホスト及び前記有線ＵＳＢホストにそれぞれ独立して電力を供給する電源部と、前記電源部から前記無線ＵＳＢホスト及び前記有線ＵＳＢホストへの電力供給を許可する電力供給許可部と、前記ＵＳＢデバイスの認証が終了したことを判断する判断部とを備え、前記判断部は、前記ＵＳＢデバイスの認証が終了したことに基づいて前記電力供給許可部を制御する。
【０００８】
第２の発明は、第１の発明であって、前記判断部は、前記ＵＳＢデバイスの認証が前記無線ＵＳＢホストによってなされた場合には、前記電源部から前記有線ＵＳＢホストへの電力供給を停止させるように前記電力供給許可部を制御する。
【０００９】
第３の発明は、第１又は第２の発明であって、前記判断部は、前記ＵＳＢデバイスの認証が前記有線ＵＳＢホストによってなされた場合には、前記電源部から前記無線ＵＳＢホストへの電力供給を停止させるように前記電力供給許可部を制御する。
【００１０】
第４の発明は、第１ないし第３の何れかの発明であって、前記判断部は、前記無線ＵＳＢホストと前記ＵＳＢデバイスとの関係が解消された場合には、前記電源部から前記無線ＵＳＢホストへの電力供給を停止させるように前記電力供給許可部を制御する。
【００１１】
第５の発明は、第１ないし第４の何れかの発明であって、前記判断部は、前記有線ＵＳＢホストと前記ＵＳＢデバイスとの関係が解消された場合には、前記電源部から前記有線ＵＳＢホストへの電力供給を停止させるように前記電力供給許可部を制御する。
【００１２】
第６の発明は、第１ないし第５の何れかの発明であって、前記電力供給許可部は、前記ＵＳＢ接続部にＵＳＢデバイスが接続された場合に、前記無線ＵＳＢホスト及び前記有線ＵＳＢホストへの電力供給を許可する。
【発明の効果】
【００１３】
第１の発明によれば、ＵＳＢデバイスの認証が終了したことに基づいて電力供給許可部を制御するので、常に無線ＵＳＢホスト及び有線ＵＳＢホストへ電力を供給させる場合に比べて機器の節電効果を得ることが可能となる。
【００１４】
第２の発明によれば、ＵＳＢデバイスの認証が無線ＵＳＢホストによってなされた場合には、有線ＵＳＢホストへの電力供給を停止させるので、常に有線ＵＳＢホストに電力を供給する場合に比べて機器の節電効果を得ることが可能となる。
【００１５】
第３の発明によれば、ＵＳＢデバイスの認証が有線ＵＳＢホストによってなされた場合には、無線ＵＳＢホストへの電力供給を停止させるので、常に無線ＵＳＢホストに電力を供給させる場合に比べて機器の節電効果を得ることが可能となる。
【００１６】
第４の発明によれば、判断部は、無線ＵＳＢホストとＵＳＢデバイスとの関係が解消された場合には、電力供給許可部を制御して、電源部から無線ＵＳＢホストへの電力供給を停止させるので、常に無線ＵＳＢホストに電力を供給させる場合に比べて機器の節電効果を得ることが可能となる。
【００１７】
第５の発明によれば、判断部は、有線ＵＳＢホストとＵＳＢデバイスとの関係が解消された場合には、電力供給許可部を制御して、電源部から有線ＵＳＢホストへの電力供給を停止させるので、常に有線ＵＳＢホストに電力を供給させる場合に比べて機器の節電効果を得ることが可能となる。
【００１８】
第６の発明によれば、ＵＳＢ接続部にＵＳＢデバイスが接続された場合に、電源部から無線ＵＳＢホスト及び有線ＵＳＢホストへの電力供給を許可するので、常に電力を供給させる場合に比べて機器の節電効果を得ることが可能となる。
【発明を実施するための最良の形態】
【００１９】
＜第１実施形態＞
以下、本発明の第１実施形態に係る通信装置の一例として、ＰＣ（Personal Computer）について、図面に基づいて説明する。
【００２０】
＜装置の構成＞
図１は、本発明の実施形態に係る通信装置であるＰＣ１００の構成例を示すブロック図である。
【００２１】
ＰＣ１００は、操作部１０１と、表示部１０２と、制御部１０３と、電源部１０４と、ＵＳＢ接続部１０５とを備えており、これらがバス１０６を介して互いに接続されている。
【００２２】
操作部１０１は、アルファベットキー、テンキー及びファンクションキー等を有するキーボードとマウス等とで構成され、各種データの入力、各種コマンドの実行命令等のユーザからの操作を受け付ける。特に、操作部１０１は、ＵＳＢ接続部１０５に接続されたＵＳＢデバイスの種別を選択する操作を受け付けて、その旨を示す制御信号（以下、「選択信号」と称する）を制御部１０３に伝達する。また、操作部１０１は、無線ＵＳＢデバイス１３０又は有線ＵＳＢデバイス１４０との関係を解消する操作を受け付けて、その旨を示す制御信号（以下、「解消信号」と称する）を制御部１０３に伝達する。表示部１０２は、ＬＣＤ（Liquid Crystal Display；液晶ディスプレイ）やＣＲＴ（Cathode Ray Tube；陰極線管）等の表示デバイスが適用され、各種情報を表示する。
【００２３】
制御部１０３は、本発明の電力供給許可部２０１及び判断部２０２（図２参照）に相当し、ＲＯＭ（Read Only Memory）、ＲＡＭ（Random Access Memory）及びＭＰＵ（Micro Processing Unit）を有している（何れも図示省略）。ＲＯＭは、ＰＣ１００が実行するプログラムや統括制御に必要なデータが格納されたものであり、ＲＡＭは、ＰＣ１００による統括制御に必要なデータを一時記憶するものである。ＭＰＵは、ＲＯＭを参照したりＲＡＭを用いたりしながら、操作部１０１からの入力信号や、該入力信号に基づくデータ演算及び出力信号の生成や、表示部１０２への表示内容の制御等を行ってＰＣ１００の各機能を実現するものである。なお、制御部１０３の詳細な機能については後に詳述する。
【００２４】
電源部１０４は、制御部１０３からの制御に基づいてＰＣ１００を構成する各ハードウェアに電力を供給する。特に、電源部１０４は、無線側電源ブロック１０７と、有線側電源ブロック１０８とのそれぞれに独立して電力を供給する機能を有する。
【００２５】
ＵＳＢ接続部１０５は、ＵＳＢ規格に準拠したコネクタと接続可能なインターフェイスであり、無線ＵＳＢデバイス１３０又は有線ＵＳＢデバイス１４０が接続される。
【００２６】
また、ＰＣ１００は、無線ＵＳＢホスト１０９、ＲＦ（Radio Frequency）回路１１０及び有線ＵＳＢホスト１１１を有している。このうち、無線ＵＳＢホスト１０９及びＲＦ回路１１０は無線側電源ブロック１０７に属し、有線ＵＳＢホスト１１１は有線側電源ブロック１０８に属している。無線側電源ブロック１０７及び有線側電源ブロック１０８はそれぞれ制御部１０３からの制御に基づいて電源部１０４から電力の供給を受ける。
【００２７】
無線ＵＳＢホスト１０９は、ＵＳＢ接続部１０５に接続された無線ＵＳＢデバイス１３０を認証してホストとデバイスとの関係を構築する。具体的には、まず、無線ＵＳＢホスト１０９は、ＵＳＢ接続部１０５に接続された無線ＵＳＢデバイス１３０に対して認証（ケーブル・アソシエーション）を実行する。認証が完了してホストとデバイスの関係が確立すると、無線ＵＳＢホスト１０９は、認証が完了したことを示す制御信号（以下、「無線側認証完了信号」と称する）を判断部２０２に伝達する。そして、認証が完了して無線ＵＳＢデバイス１３０がＵＳＢ接続部１０５から外された後は、ＲＦ回路１１０を介して無線ＵＳＢデバイス１３０との間で無線通信を実行する。
【００２８】
有線ＵＳＢホスト１１１は、ＵＳＢ接続部１０５に接続された有線ＵＳＢデバイスを認証して通信を実行する。具体的には、有線ＵＳＢホスト１１１は、ＵＳＢ接続部１０５に接続された有線ＵＳＢデバイス１４０に対して認証、具体的にはエナミュレーションを実行し判断部２０２に通知してホストとデバイスの関係を確立すると、有線ＵＳＢホスト１１１は、認証が完了したことを示す制御信号（以下、「有線側認証完了信号」と称する）を判断部２０２に伝達する。そして、有線ＵＳＢデバイス１４０と有線通信を実行する。
【００２９】
ここで、エナミュレーションとは、以下のようなプロセスである。まず、ＵＳＢ接続部１０５に接続されたペリフェラルデバイス（ここでは、有線ＵＳＢデバイス１４０）を調査し、接続されている有線ＵＳＢデバイス１４０に個別の番号を付す。そして、有線ＵＳＢデバイス１４０から、給電方法、消費電力、データ転送方式等のデバイス情報をリードして、有線ＵＳＢデバイス１４０がＵＳＢ規格内に収まるかどうかを計算する。その後、計算結果に基づいて有線ＵＳＢデバイス１４０の動作モデルをセット、指示する。
【００３０】
＜制御部の詳細な機能＞
図２は、ＰＣ１００の機能ブロック図である。ＰＣ１００は、電力供給許可部２０１と、判断部２０２とを備えている。これらは、制御部１０３が動作することにより実現される機能ブロックである。
【００３１】
制御部１０３は、操作部１０１から選択信号が伝達されると、それに基づいて無線ＵＳＢホスト１０９又は有線ＵＳＢホスト１１１に、該ＵＳＢデバイスの認証を実行させる。
【００３２】
電力供給許可部２０１は、判断部２０２からの制御に応じて、電源部１０４から無線ＵＳＢホスト１０９及び有線ＵＳＢホスト１１１への電力供給を許可する。以下の説明において、電源部１０４から無線側電源ブロック１０７への電力供給を停止させる制御信号を「無線側切断信号」、電源部１０４から有線側電源ブロック１０８への電力供給を停止させる制御信号を「有線側切断信号」と称する。
【００３３】
判断部２０２は、ＵＳＢデバイスの認証が終了したことを判断し、ＵＳＢデバイスの認証が終了したことに基づいて電力供給許可部２０１を制御する。具体的には、ＵＳＢデバイスの認証が無線ＵＳＢホスト１０９によってなされた場合には、電源部１０４から有線ＵＳＢホスト１１１への電力供給を停止させるように電力供給許可部２０１を制御する。一方、ＵＳＢデバイスの認証が有線ＵＳＢホスト１１１によってなされた場合には、電源部１０４から無線ＵＳＢホスト１０９への電力供給を停止させるように電力供給許可部２０１を制御する。より具体的には、無線ＵＳＢホスト１０９から無線側認証完了信号が伝達された場合には、「無線確定信号」と称する制御信号を電力供給許可部２０１に伝達し、有線ＵＳＢホスト１１１から有線側認証完了信号が伝達された場合には、「有線確定信号」と称する制御信号を電力供給許可部２０１に伝達する。
【００３４】
＜装置の動作＞
図３は、ＰＣ１００の処理動作を示すフローチャートである。このフローチャートでは、ＰＣ１００が無線ＵＳＢデバイス１３０又は有線ＵＳＢデバイス１４０との通信を行うための処理動作のみを示し、その他の処理動作については図示及び説明を省略している。また、特に記載のない場合は、制御部１０３の制御下で自動的に行われる。
【００３５】
ＰＣ１００に電源が投入されると、所定の初期設定を実行し、電源部１０４は無線側電源ブロック１０７と有線側電源ブロック１０８との両方に電力供給を開始する（ステップＳ３０１）。これにより、無線ＵＳＢホスト１０９及び有線ＵＳＢホスト１１１への電力供給が開始され、待機状態となる。
【００３６】
無線ＵＳＢホスト１０９及び有線ＵＳＢホスト１１１への電力供給が開始されると、ＵＳＢデバイスがＵＳＢ接続部１０５に接続されるまで待機し（ステップＳ３０２）、ＵＳＢデバイスが接続された場合には、ステップＳ３０２においてＹｅｓを選択して更に、操作部１０１が接続されたＵＳＢデバイスの種別の選択を受け付けるまで待機する。
【００３７】
ＵＳＢデバイスが接続されている状態で、ユーザが、操作部１０１を操作して接続されたＵＳＢデバイスの種別を選択すると、操作部１０１は制御部１０３に選択信号を伝達する。したがって、制御部１０３は、選択信号に基づいて、選択された種別が無線ＵＳＢデバイス１３０であるか否かを判断する（ステップＳ３０３）。
【００３８】
選択された種別が無線ＵＳＢデバイス１３０である場合には、ステップＳ３０３においてＹｅｓを選択し、無線ＵＳＢホスト１０９が認証、すなわちケーブル・アソシエーションを実行する（ステップＳ３０４）。ケーブル・アソシエーションが完了すると、無線ＵＳＢホスト１０９は、無線側認証完了信号を判断部２０２に伝達する。
【００３９】
無線側認証完了信号が判断部２０２に伝達されると、ステップＳ３０５においてＹｅｓを選択する。これにより、無線ＵＳＢホスト１０９と無線ＵＳＢデバイス１３０との間でホストとデバイスの関係が確立される。
【００４０】
ステップＳ３０５においてＹｅｓを選択すると、判断部２０２は、電力供給許可部２０１に対して、無線確定信号を伝達する。さらに、判断部２０２から無線確定信号が伝達されると、電力供給許可部２０１は、電源部１０４に有線側切断信号を伝達する。これにより、電源部１０４は、有線側電源ブロック１０８への電力供給を停止する。したがって、有線ＵＳＢホスト１１１への電力供給が停止する（ステップＳ３０６）。このように、無線ＵＳＢデバイス１３０との間で通信が行われる場合には、以後、有線ＵＳＢホスト１１１への電力供給が停止されるので、消費電力が抑制される。
【００４１】
有線ＵＳＢホスト１１１への電力供給が停止されると、その後、ＲＦ回路１１０と無線ＵＳＢデバイス１３０との間で無線通信を実行する（ステップＳ３０７）。
【００４２】
ステップＳ３０７において無線通信が開始されると、判断部２０２は、無線ＵＳＢホスト１０９と無線ＵＳＢデバイス１３０との間の関係が解消されたか否かを監視しつつ（ステップＳ３０８）、ステップＳ３０７を繰り返す。
【００４３】
無線ＵＳＢホスト１０９と無線ＵＳＢデバイス１３０との間の関係が解消された場合には、ステップＳ３０８においてＹｅｓを選択して、ＰＣ１００本体の電源が遮断されたか否かを判断し（ステップＳ３０９）、ＮｏであればステップＳ３０１に戻って、処理を繰り返す。すなわち、再び無線ＵＳＢホスト１０９及び有線ＵＳＢホスト１１１の両方への電力供給を開始し（ステップＳ３０１）、ＵＳＢ接続部１０５にＵＳＢデバイスが接続されるまで待機状態となる。一方、ステップＳ３０９においてＹｅｓであれば全ての処理を終了する。
【００４４】
一方、ステップＳ３０３においてＮｏを選択する（すなわち、選択された種別が有線ＵＳＢデバイス１４０である）場合には、有線ＵＳＢホスト１１１が認証、すなわちエナミュレーションを実行する（ステップＳ３１０）。エナミュレーションが完了すると、有線ＵＳＢホスト１１１は、有線側認証完了信号を判断部２０２に伝達する。
【００４５】
有線側認証完了信号が判断部２０２に伝達されると、ステップＳ３１１においてＹｅｓを選択する。これにより、有線ＵＳＢホスト１１１と有線ＵＳＢデバイス１４０との間でホストとデバイスの関係が確立される。
【００４６】
ステップＳ３１１においてＹｅｓを選択すると、判断部２０２は、電力供給許可部２０１に対して、有線確定信号を伝達する。そして、判断部２０２から有線確定信号が伝達されると、電力供給許可部２０１は、電源部１０４に無線側切断信号を伝達する。これにより、電源部１０４は、無線側電源ブロック１０７への電力供給を停止する。したがって、無線ＵＳＢホスト１０９への電力供給が停止する（ステップＳ３１２）。このように、有線ＵＳＢデバイス１４０との間で通信が行われる場合には、以後、無線ＵＳＢホスト１０９への電力供給が停止されるので、消費電力が抑制される。
【００４７】
無線ＵＳＢホスト１０９への電力供給が停止されると、その後、有線ＵＳＢデバイス１４０との有線通信を実行する（ステップＳ３１３）。
【００４８】
ステップＳ３１３において有線通信が開始されると、判断部２０２は、有線ＵＳＢホスト１１１と有線ＵＳＢデバイス１４０との間の関係が解消されたか否かを監視しつつ（ステップＳ３１４）、ステップＳ３１３を繰り返す。
【００４９】
有線ＵＳＢホスト１１１と有線ＵＳＢデバイス１４０との間の関係が解消された場合には、ステップＳ３１４においてＹｅｓを選択して、ステップＳ３０９に進んで、処理を繰り返すか又は全ての処理を終了する。
【００５０】
以上のように、ＵＳＢデバイスの認証が終了したことに基づいて電力供給許可部２０１を制御するので、常に無線ＵＳＢホスト１０９及び有線ＵＳＢホスト１１１へ電力を供給させる場合に比べて機器の節電効果を得ることが可能となる。
【００５１】
ここで、ＵＳＢデバイスの認証が無線ＵＳＢホスト１０９によってなされた場合には、有線ＵＳＢホスト１１１への電力供給を停止させるので、常に有線ＵＳＢホスト１１１に電力を供給する場合に比べて機器の節電効果を得ることが可能となる。
【００５２】
また、ＵＳＢデバイスの認証が有線ＵＳＢホスト１１１によってなされた場合には、無線ＵＳＢホスト１０９への電力供給を停止させるので、常に無線ＵＳＢホスト１０９に電力を供給させる場合に比べて機器の節電効果を得ることが可能となる。
【００５３】
＜第２実施形態＞
上記第１実施形態では、ＰＣ１００の待機状態において無線ＵＳＢホスト１０９及び有線ＵＳＢホスト１１１の両方に電力を供給している場合を例に説明したが、本発明は上記実施形態に限定されるものではない。ここでは、本発明の第２実施形態として、ＵＳＢ接続部１０５にＵＳＢデバイスが接続されたときにこれを検出して無線ＵＳＢホスト１０９及び有線ＵＳＢホスト１１１に電力供給を開始する例を説明する。なお、上記第１実施形態と同様の機能を有する構成については同一の符号を付して図示及び説明を省略する。
【００５４】
図４は、本発明の第２実施形態に係るＰＣ４００の機能ブロック図である。ＰＣ４００は、上記第１実施形態と略同様の構成（図１参照）でＵＳＢ接続部１０５、電力供給許可部２０１及び判断部２０２に代えて、ＵＳＢ接続部１０５Ａ、電力供給許可部２０１Ａ及び判断部２０２Ａを備えている。
【００５５】
ＵＳＢ接続部１０５Ａは、上記第１実施形態のＵＳＢ接続部１０５が有する機能に加えて、ＵＳＢデバイスが接続された場合に、その旨を示す制御信号（以下、「接続検出信号」と称する）を電力供給許可部２０１Ａに伝達する。
【００５６】
電力供給許可部２０１Ａは、ＵＳＢ接続部１０５Ａ又は判断部２０２Ａからの制御信号に応じて、電源部１０４を制御することにより、無線側電源ブロック１０７及び有線側電源ブロック１０８に対する電力供給を制御する機能を有する。特に、ＵＳＢ接続部１０５ＡにＵＳＢデバイスが接続された場合に、無線ＵＳＢホスト１０９及び有線ＵＳＢホスト１１１への電力供給を許可する。ここで、電力供給許可部２０１Ａが電源部１０４を制御するために伝達する制御信号のうち、電源部１０４に電力の供給を開始させる制御信号を「供給開始信号」と称する。
【００５７】
判断部２０２Ａは、上記第１実施形態の判断部２０２が有する機能に加えて、無線ＵＳＢホスト１０９と無線ＵＳＢデバイス１３０との関係が解消された場合には、電源部１０４から無線ＵＳＢホスト１０９への電力供給を停止させるように電力供給許可部２０１を制御する。また、有線ＵＳＢホスト１１１と有線ＵＳＢデバイス１４０との関係が解消された場合には、電源部１０４から有線ＵＳＢホスト１１１への電力供給を停止させるように電力供給許可部２０１を制御する。具体的には、ホストとデバイスとの関係が解消されたことを検出して、制御信号（以下、「解消信号」と称する）を電力供給許可部２０１Ａに伝達する。
【００５８】
＜装置の動作＞
図５は、ＰＣ４００の処理動作を示すフローチャートである。このフローチャートでは、図３と同様に、ＰＣ４００が無線ＵＳＢデバイス１３０又は有線ＵＳＢデバイス１４０との通信を行うための処理動作のみを示し、その他の処理動作については図示及び説明を省略している。また、特に記載のない場合は、制御部１０３の制御下で自動的に行われる。
【００５９】
ＰＣ４００に電源が投入されると、所定の初期動作を実行した後に、ＵＳＢデバイスがＵＳＢ接続部１０５Ａに接続されるまで待機する（ステップＳ５０１）。
【００６０】
ＵＳＢ接続部１０５ＡにＵＳＢデバイスが接続されると、ステップＳ５０１においてＹｅｓを選択し、ＵＳＢ接続部１０５Ａが電力供給許可部２０１Ａに対して、接続検出信号を伝達する。これに応じて電力供給許可部２０１Ａは、電源部１０４に電力の供給を許可するために、電源部１０４に供給開始信号を伝達する。
【００６１】
電力供給許可部２０１Ａから供給開始信号が伝達されると、電源部１０４は、無線側電源ブロック１０７及び有線側電源ブロック１０８の両方に電力の供給を開始する。これにより、無線ＵＳＢホスト１０９及び有線ＵＳＢホスト１１１への電力供給が開始される（ステップＳ５０２）。このように、ＵＳＢデバイスが接続されてから、無線ＵＳＢホスト１０９及び有線ＵＳＢホスト１１１への電力供給が開始されるので、常に、電力を供給している場合に比べて、消費電力が抑制される。
【００６２】
ＵＳＢデバイスが接続され電力が供給されている状態で、ユーザが、操作部１０１を操作して接続されたＵＳＢデバイスの種別を選択すると、操作部１０１は制御部１０３に選択信号を伝達する。したがって、制御部１０３は、選択信号に基づいて、選択された種別が無線ＵＳＢデバイス１３０であるか否かを判断する（ステップＳ５０３）。
【００６３】
選択された種別が無線ＵＳＢデバイス１３０である場合には、ステップＳ５０３においてＹｅｓを選択し、無線ＵＳＢホスト１０９がケーブル・アソシエーションを実行する（ステップＳ５０４）。ケーブル・アソシエーションが完了すると、無線ＵＳＢホスト１０９は、無線側認証完了信号を判断部２０２Ａに伝達する。
【００６４】
無線側認証完了信号が判断部２０２Ａに伝達されると、ステップＳ５０５においてＹｅｓを選択する。これにより、無線ＵＳＢホスト１０９と無線ＵＳＢデバイス１３０との間でホストとデバイスの関係が確立される。
【００６５】
ステップＳ５０５においてＹｅｓを選択すると、判断部２０２Ａは、電力供給許可部２０１Ａに対して、無線確定信号を伝達する。さらに、判断部２０２Ａから無線確定信号が伝達されると、電力供給許可部２０１Ａは、電源部１０４に有線側切断信号を伝達する。これにより、電源部１０４は、有線側電源ブロック１０８への電力供給を停止する。したがって、有線ＵＳＢホスト１１１への電力供給が停止する（ステップＳ５０６）。このように、無線ＵＳＢデバイス１３０との間で通信が行われる場合には、以後、有線ＵＳＢホスト１１１への電力供給が停止されるので、消費電力が抑制される。
【００６６】
有線ＵＳＢホスト１１１への電力供給が停止されると、その後、ＲＦ回路１１０と無線ＵＳＢデバイス１３０との間で無線通信を実行する（ステップＳ５０７）。
【００６７】
ステップＳ５０７において無線通信が開始されると、判断部２０２Ａは、無線ＵＳＢホスト１０９と無線ＵＳＢデバイス１３０との間の関係が解消されたか否かを監視しつつ（ステップＳ５０８）、ステップＳ５０７を繰り返す。
【００６８】
無線ＵＳＢホスト１０９と無線ＵＳＢデバイス１３０との間の関係が解消された場合には、判断部２０２Ａが電力供給許可部２０１Ａに対して、解消信号を伝達し、電力供給許可部２０１Ａが電源部１０４に無線側切断信号を伝達する。これにより、電源部１０４は、無線側電源ブロック１０７に対する電力供給を停止し、無線ＵＳＢホスト１０９への電力供給が停止する（ステップＳ５０９）。したがって、無線ＵＳＢホスト１０９と無線ＵＳＢデバイス１３０との間の関係が解消された後に電力供給を続ける場合に比べて、消費電力が抑制される。
【００６９】
ステップＳ５０９を実行した後は、ＰＣ４００本体の電源が遮断されたか否かを判断し（ステップＳ５１０）、ＮｏであればステップＳ５０１に戻って、処理を繰り返す。すなわち、再びＵＳＢ接続部１０５ＡにＵＳＢデバイスが接続されるまで待機状態となる。一方、ステップＳ５１０においてＹｅｓであれば全ての処理を終了する。
【００７０】
一方、ステップＳ５０３においてＮｏを選択する（すなわち、選択された種別が有線ＵＳＢデバイス１４０である）場合には、有線ＵＳＢホスト１１１がエナミュレーションを実行する（ステップＳ５１１）。エナミュレーションが完了すると、有線ＵＳＢホスト１１１は、有線側認証完了信号を判断部２０２Ａに伝達する。
【００７１】
有線側認証完了信号が判断部２０２Ａに伝達されると、ステップＳ５１２においてＹｅｓを選択する。これにより、有線ＵＳＢホスト１１１と有線ＵＳＢデバイス１４０との間でホストとデバイスの関係が確立される。
【００７２】
ステップＳ５１２においてＹｅｓを選択すると、判断部２０２は、電力供給許可部２０１に対して、有線確定信号を伝達する。そして、判断部２０２から有線確定信号が伝達されると、電力供給許可部２０１は、電源部１０４に無線側切断信号を伝達する。これにより、電源部１０４は、無線側電源ブロック１０７への電力供給を停止する。したがって、無線ＵＳＢホスト１０９への電力供給が停止する（ステップＳ５１３）。このように、有線ＵＳＢデバイス１４０との間で通信が行われる場合には、以後、無線ＵＳＢホスト１０９への電力供給が停止されるので、消費電力が抑制される。
【００７３】
無線ＵＳＢホスト１０９への電力供給が停止されると、その後、有線ＵＳＢデバイス１４０との有線通信を実行する（ステップＳ５１４）。
【００７４】
ステップＳ５１４において有線通信が開始されると、判断部２０２Ａは、有線ＵＳＢホスト１１１と有線ＵＳＢデバイス１４０との間の関係が解消されたか否かを監視しつつ（ステップＳ５１５）、ステップＳ５１４を繰り返す。
【００７５】
有線ＵＳＢホスト１１１と有線ＵＳＢデバイス１４０との間の関係が解消された場合には、判断部２０２Ａが電力供給許可部２０１Ａに対して、解消信号を伝達し、電力供給許可部２０１Ａが電源部１０４に有線側切断信号を伝達する。これにより、電源部１０４は、有線側電源ブロック１０８に対する電力供給を停止し、有線ＵＳＢホスト１１１への電力供給が停止する（ステップＳ５１６）。したがって、有線ＵＳＢホスト１１１と有線ＵＳＢデバイス１４０との間の関係が解消された後に電力供給を続ける場合に比べて、消費電力が抑制される。
【００７６】
ステップＳ５１６を実行した後は、ステップＳ５１０に進んで、処理を繰り返すか又は全ての処理を終了する。
【００７７】
以上のように、判断部２０２Ａは、無線ＵＳＢホスト１０９と無線ＵＳＢデバイス１３０との関係が解消された場合には、電力供給許可部２０１Ａを制御して、電源部１０４から無線ＵＳＢホスト１０９への電力供給を停止させるので、常に無線ＵＳＢホスト１０９に電力を供給させる場合に比べて機器の節電効果を得ることが可能となる。
【００７８】
また、判断部２０２Ａは、有線ＵＳＢホスト１１１と有線ＵＳＢデバイス１４０との関係が解消された場合には、電力供給許可部２０１Ａを制御して、電源部１０４から有線ＵＳＢホスト１１１への電力供給を停止させるので、常に有線ＵＳＢホスト１１１に電力を供給させる場合に比べて機器の節電効果を得ることが可能となる。
【００７９】
さらに、ＵＳＢ接続部１０５ＡにＵＳＢデバイスが接続された場合に、電源部１０４から無線ＵＳＢホスト１０９及び有線ＵＳＢホスト１１１への電力供給を許可するので、常に電力を供給させる場合に比べて機器の節電効果を得ることが可能となる。
【００８０】
＜変形例＞
以上、本発明の実施形態について説明したが、本発明は上述した内容のものに限定されるものではない。
【００８１】
図６は、本発明の変形例を示す機能ブロック図である。図６に示すように、例えば、無線ＵＳＢホスト１０９又は有線ＵＳＢホスト１１１が認証を行う前段階として、ＵＳＢ接続部１０５に接続されたＵＳＢデバイスの種別を検出し、検出された種別に基づいて無線ＵＳＢホスト１０９又は有線ＵＳＢホスト１１１に、ＵＳＢデバイスの認証を実行させる種別検出部６０１を更に備え、判断部２０２は、種別検出部によって検出された種別に基づいて電力供給許可部２０１を制御するようにしても良い。
【００８２】
具体的には、種別検出部６０１が、ＵＳＢ接続部１０５に接続されたＵＳＢデバイスを無線ＵＳＢデバイス１３０であると検出した場合には、判断部２０２は、電源部１０４から有線ＵＳＢホスト１１１への電力供給を停止させるよう電力供給許可部２０１を制御する。一方、種別検出部６０１が、ＵＳＢ接続部１０５に接続されたＵＳＢデバイスを有線ＵＳＢデバイス１４０であると検出した場合には、判断部２０２は、電源部１０４から無線ＵＳＢホスト１０９への電力供給を停止させるよう電力供給許可部２０１を制御する。これにより、機器の節電効果を更に得ることが可能となる。
【００８３】
また、通信装置は必ずしもＰＣ１００のように一般的なコンピュータである必要はなく、ＰＤＡ（Personal Digital Assistant）であっても良いし、ＭＦＰ（Multi Function Peripherals）等であっても良い。特に、通信装置がＰＤＡのように、バッテリによって駆動される携帯型の端末装置である場合には、バッテリの電力消費を抑制できるため、効果的である。
【００８４】
また、上述の第１、第２実施形態及び変形例を適宜組合せても良い。なお、本発明に係るＰＣ１００は、上述の処理を行うことが可能な回路構成であっても良く、上述の各工程に限定されるものでもない。
【図面の簡単な説明】
【００８５】
【図１】本発明の第１実施形態に係る通信装置であるＰＣの構成例を示すブロック図である。
【図２】ＰＣの機能ブロック図である。
【図３】ＰＣの処理動作を示すフローチャートである。
【図４】本発明の第２実施形態に係るＰＣの機能ブロック図である。
【図５】ＰＣの処理動作を示すフローチャートである。
【図６】本発明の変形例を示す機能ブロック図である。
【符号の説明】
【００８６】
１００  ＰＣ
１０３  制御部
１０４  電源部
１０５，１０５Ａ  ＵＳＢ接続部
１０９  無線ＵＳＢホスト
１１１  有線ＵＳＢホスト
２０１，２０１Ａ  電力供給許可部
２０２，２０２Ａ  判断部
【図１】
2008123246.tif 000003
【図２】
2008123246.tif 000004
【図３】
2008123246.tif 000005
【図４】
2008123246.tif 000006
【図５】
2008123246.tif 000007
【図６】
2008123246.tif 000008
【手続補正書】
【提出日】平成18年12月14日(2006.12.14)
【手続補正１】
【補正対象書類名】図面
【補正対象項目名】図３
【補正方法】変更
【補正の内容】
【図３】
2008123246.tif 000009
【手続補正２】
【補正対象書類名】図面
【補正対象項目名】図５
【補正方法】変更
【補正の内容】
【図５】
2008123246.tif 000010